(57)【要約】【課題】連結軸を設けた裏面側基端部にも図柄を付した蓋体、およびこの蓋体をケース本体に連結した蓋付きケースを提供する。【解決手段】この蓋体１０は、少なくとも裏面側を装飾面とした蓋本体１１と、ヒンジ３０を構成する連結軸１２とが別体で備えられ、前記蓋本体１１の図柄の付された裏面側基端部と前記連結軸１２とが接合一体化されている。また、蓋付きケース１は、前記蓋体１０と、該蓋体１０に重なり合うケース本体２０とがヒンジ３０によって連結され、前記蓋体１０の連結軸１２には、軸孔１２ａが形成され、前記ケース本体２０には、前記連結軸１２の軸孔１２ａと連通する軸孔２３ａを形成した一対の突出部２３，２３が設けられ、前記連結軸１２と突出部２３，２３の両軸孔１２ａ，２３ａには、ピン３１が挿通されている。【選択図】図４
0003117352.tif 000002
【実用新案登録請求の範囲】
【請求項１】
少なくとも裏面側を装飾面とした蓋本体と、ヒンジを構成する連結軸とが別体で成形されている蓋体であって、
前記蓋本体の図柄の付された裏面側基端部と前記連結軸とが接合一体化されていることを特徴とする蓋体。
【請求項２】
前記連結軸は、蓋本体の裏面側基端部と同じまたはほぼ同じ長さとされていることを特徴とする請求項１に記載の蓋体。
【請求項３】
前記連結軸の蓋本体との接合面に突起部が設けられ、前記蓋本体の裏面側基端部に該突起部を嵌入する窪み部が形成されていることを特徴とする請求項１または２に記載の蓋体。
【請求項４】
前記蓋本体と連結軸とは超音波溶着によって接合一体化されていることを特徴とする請求項１ないし３のいずれか一つに記載の蓋体。
【請求項５】
前記連結軸の蓋本体との接合面と反対側の面に溝が形成されていることを特徴とする請求項１ないし４のいずれか一つに記載の蓋体。
【請求項６】
前記蓋本体は、透明ないし半透明の樹脂によって形成されていることを特徴とする請求項１ないし５のいずれか一つに記載の蓋体。
【請求項７】
請求項１ないし６のいずれか一つに記載の蓋体と、該蓋体に重なり合うケース本体とがヒンジによって連結されている蓋付きケースであって、
前記蓋体の連結軸には、軸孔が形成され、前記ケース本体には、前記連結軸の軸孔と連通する軸孔を形成した突出部が設けられ、前記連結軸と突出部の両軸孔には、ピンが挿通されていることを特徴とする蓋付きケース。
【請求項８】
前記ケース本体の突出部は、蓋体の連結軸を挟む突片状に一対設けられていることを特徴とする請求項７に記載の蓋付きケース。
【請求項９】
前記ピンは、前記ケース本体の突出部に形成された軸孔に固定され、前記蓋体の連結軸に形成された軸孔内で拡開するようにスリットが形成されていることを特徴とする請求項７または８に記載の蓋付きケース。
【請求項１０】
前記ケース本体には、蓋体と接合する内面に鏡が備えられていることを特徴とする請求項７ないし９のいずれか一つに記載の蓋付きケース。
【考案の詳細な説明】
【技術分野】
【０００１】
本考案は、絵柄を裏面側に付した蓋体、およびこの蓋体を浅底ないし深底のケース本体にヒンジによって連結した蓋付きケースに関し、詳しくは、ヒンジとして使用するための連結軸と蓋本体とを接合一体化した蓋体、およびヒンジとして使用するための突出部を設けたケース本体に前記蓋体を連結した蓋付きケース関する。
【背景技術】
【０００２】
蓋付きのケースには、携行用の手鏡やコンパクト容器、宝石箱などがある。例えば、携行用の手鏡は、図４に示すように、鏡１０１が浅底のケース本体１１０内に嵌め込まれ、このケース本体１１０に蓋体１２０がヒンジ１３０によって取り付けられ、蓋体１２０が開閉するようにされている。この蓋体１２０が鏡１０１に重なるように閉じられることにより、鏡１０１が汚れたり傷付いたりしないようにすることができる。なお、この手鏡は、実際には、蓋体１２０が手に持たれ、鏡１０１が斜め上向きとなるようにして使用される。
【０００３】
ところで、ヒンジ１３０は、蓋体１２０の裏面側基端部に設けられた連結軸１２１と、この連結軸１２１を挟むようにケース本体１１０の両側基端部に設けられた一対の突出部１１１，１１１と、この連結軸１２１と突出部１１１，１１１を貫通する一対のピン１３１（一方のみ図示する。）とによって構成されている。このようなヒンジ１３０は、図示したように連結軸１２１が蓋体１２０のほぼ全長に設けられ、突出部１１１，１１１が突片状に設けられるほか、連結軸１２１が蓋体１２０の中心部に部分的に設けられ、両側の突出部１１１，１１１が連結軸１２１の長さほどに設けられるものもある。いずれにしても、蓋体１２０およびケース本体１１０が樹脂製であると、連結軸１２１は蓋体１２０の一部として一体成形され、突出部１１１，１１１はケース本体１１０の一部として一体成形されている。
【０００４】
なお、ケース本体内に白粉（おしろい）などの化粧料を収納し、蓋体の裏面側に鏡を嵌め込み、ケース本体と蓋体とをヒンジによって連結したコンパクト容器が特許文献１に開示されている。この蓋体の表面には、商品価値を向上させるための装飾フィルムがほぼ全面に亘って貼り付けられている。
【０００５】
【特許文献１】特開２００１−２９２８２７号公報
【考案の開示】
【考案が解決しようとする課題】
【０００６】
特許文献１に開示された蓋体は、裏面に鏡が嵌め込まれるため、装飾フィルムは表面側にのみ貼り付けられる。しかし、図４に示したように、鏡１０１がケース本体１１０に嵌め込まれていると、蓋体１２０はケース本体１１０の内面を透視することができるような透明ないし半透明の樹脂によって成形され、さらに、立体感のある装飾を施すため、蓋体１２０の表裏両面から装飾フィルムが貼り付けられ、あるいはシルク印刷や熱転写などによって図柄が付されることがある。
【０００７】
しかし、従来の蓋体１２０は、連結軸１２１が裏面側基端部に一体成形によって設けられているため、連結軸１２１が障害となり、蓋体１２０の裏面側基端部には図柄を付すことができない。蓋体１２０の表面全面に図柄が付されたとしても、裏面全面に図柄が付されていないと、装飾効果が半減し、商品価値を十二分に向上させることができない。
【０００８】
そこで、本考案は、連結軸を設けた裏面側基端部にも図柄を付した蓋体、およびこの蓋体をケース本体に連結した蓋付きケースを提供することを課題とする。
【課題を解決するための手段】
【０００９】
本考案に係る蓋体は、少なくとも裏面側を装飾面とした蓋本体と、ヒンジを構成する連結軸とが別体で成形されている蓋体であって、前記蓋本体の図柄の付された裏面側基端部と前記連結軸とが接合一体化されていることを特徴としている。
【００１０】
この蓋体によれば、蓋本体と連結軸とが別体とされていることにより、蓋本体の裏面側基端部に図柄を付すことができる。そして、図柄の付された蓋本体の裏面側基端部と連結軸とが接合一体化されることにより、ケース本体に取り付けられる蓋体の装飾効果を向上させることができる。なお、図柄が蓋本体の裏面に付されることにより、図柄は傷付きにくく、剥落したり引っ掻かれたりしないようにすることができる。
【００１１】
また、前記本考案に係る蓋体において、前記連結軸は、蓋本体の裏面側基端部と同じまたはほぼ同じ長さとされていることが好ましい。この蓋体によれば、連結軸と蓋本体の裏面側基端部との接合面が最大となり、両者の接合力を強化することができる。
【００１２】
また、前記本考案に係る蓋体において、前記連結軸の蓋本体との接合面に突起部が設けられ、前記蓋本体の裏面側基端部に該突起部を嵌入する窪み部が形成されていることが好ましい。この蓋体によれば、連結軸に設けられた突起部が蓋本体に形成された窪み部に嵌入することにより、連結軸は位置ずれすることなく、蓋本体の裏面側基端部に接合一体化することができる。
【００１３】
また、前記本考案に係る蓋体において、前記蓋本体と連結軸とは超音波溶着によって接合一体化されていることが好ましい。この蓋体によれば、蓋本体と連結軸とが超音波溶着によって接合一体化されることにより、接合一体化するための処理時間を他の接着方法よりも短縮することができるだけでなく、食みだし、変形、そして変色などの外観不良が生じず、蓋本体の裏面に付された図柄を変質させないようにすることができる。
【００１４】
また、前記本考案に係る蓋体において、前記連結軸の蓋本体との接合面と反対側の面に溝が形成されていることが好ましい。この蓋体によれば、連結軸に形成された溝内に超音波ホーンを係入することができる。
【００１５】
また、前記本考案に係る蓋体において、前記蓋本体は、透明ないし半透明の樹脂によって形成されていることが好ましい。この蓋体によれば、蓋本体が透明ないし半透性の樹脂によって形成されていることにより、蓋本体の裏面に付された図柄が表面に透視され、表面に付された図柄と相俟って立体感のある装飾とすることができる。
【００１６】
また、本考案に係る蓋付きケースは、前記いずれか一つに記載の蓋体と、該蓋体に重なり合うケース本体とがヒンジによって連結されている蓋付きケースであって、前記蓋体の連結軸には、軸孔が形成され、前記ケース本体には、前記連結軸の軸孔と連通する軸孔を形成した突出部が設けられ、前記連結軸と突出部の両軸孔には、ピンが挿通されていることを特徴としている。
【００１７】
この蓋付きケースによれば、ケース本体に前記の裏面側基端部に図柄を付した蓋体が取り付けられることにより、この蓋付きケースは、装飾性に富んだものとすることができる。そして、蓋体に設けられた連結軸とケース本体に設けられた突出部とに連通する軸孔が形成され、連結軸と突出部の両軸孔にピンが挿通されることにより、蓋体は、ピンを軸にして開閉する。
【００１８】
また、前記本考案に係る蓋付きケースにおいて、前記ケース本体の突出部は、蓋体の連結軸を挟む突片状に一対設けられていることが好ましい。この蓋付きケースによれば、ケース本体の突出部が蓋体の連結軸を挟むように突出した一対の突片状とされることにより、意匠性を優れたものとすることができる。
【００１９】
また、前記本考案に係る蓋付きケースにおいて、前記ピンは、前記ケース本体の突出部に形成された軸孔に固定され、前記蓋体の連結軸に形成された軸孔内で拡開するようにスリットが形成されていることが好ましい。この蓋付きケースによれば、ピンがケース本体の突出部に形成された軸孔に固定され、スリットによって、蓋体の連結軸に形成された軸孔内で拡開することにより、蓋体はピンから抵抗力が付与されてケース本体に連結された状態となる。したがって、蓋体は、任意の位置で停止するように開くことができる。
【００２０】
また、前記本考案に係る蓋付きケースにおいて、前記ケース本体には、蓋体と接合する内面に鏡が備えられていることが好ましい。この蓋付きケースによれば、鏡は、携行時において蓋体に覆われ、汚れたり傷付いたりすることがないようにすることができるだけでなく、蓋体が全面に亘って装飾されていることにより、商品価値を向上させることができる。
【考案の効果】
【００２１】
本考案によれば、蓋体が蓋本体と連結軸とを別体とし、接合一体化されることにより、蓋本体の裏面側基端部にも図柄を付すことができる。したがって、蓋本体の裏面全面に図柄が付され、商品価値を向上させることができる。また、このような蓋体をケース本体に連結した蓋付きケースも、趣味性に富んだものとすることができる。
【考案を実施するための最良の形態】
【００２２】
本考案に係る蓋体および蓋付きケースの一実施形態について図１ないし図３を参照しながら説明する。この蓋体１０は、図１に示すように、少なくとも裏面側を装飾面とした蓋本体１１とヒンジ３０を構成する連結軸１２とが別体で成形され、蓋本体１１の裏面側基端部と連結軸１２とが接合一体化されている。また、蓋付きケース１は、図２および図３に示すように、この蓋体１０とケース本体２０とがヒンジ３０によって連結されたものであり、ここでは、一例として手鏡ついて説明する。
【００２３】
蓋本体１１は、連結軸１２を接合一体化していない状態において、裏面に図柄が付される。すなわち、蓋本体１１が連結軸１２と別体で成形されることにより、連結軸１２が障害とならずに図柄を付すことができる。図柄は、蓋本体１１の裏面側基端部を含めた全面または一部に装飾フィルムが貼り付けられ、あるいはシルク印刷や熱転写などによって付される。図柄が蓋本体１１の裏面側に付されることにより、剥落したり引っ掻かれたりしない。
【００２４】
また、蓋本体１１が透明または半透明の樹脂によって成形されることにより、裏面に付された図柄が表面に透視される。したがって、蓋本体１１の表面にも図柄を付すことにより、立体感のある装飾を施すことができる。
【００２５】
また、蓋本体１１の基端部には、図１に示すように、ヒンジ３０によってケース本体２０に連結するため、切欠き部１１ａが形成されている。さらに、蓋本体１１の裏面側基端部の両端には、一対の窪み部１１ｂ，１１ｂが形成されている。なお、窪み部１１ｂ，１１ｂは、複数対形成されてもよいし、裏面側基端部の中間部に形成されてもよい。
【００２６】
このように図柄が付された蓋本体１１の裏面側基端部には、連結軸１２が接合一体化される。連結軸１２は、透明ないし半透明の樹脂によって蓋本体１１の幅と同じ長さまたはほぼ同じ長さの棒状に形成されている。このような連結軸１２の両端部がヒンジ３０，３０を構成する部分とされ、それぞれに軸孔１２ａ，１２ａが形成されている。さらに、連結軸１２が蓋本体１１と接合する接合面には、前記蓋本体１１に形成された窪み部１１ｂ，１１ｂ内に嵌入する突起部１２ｂ，１２ｂが形成されている。そして、連結軸１２の接合面と反対側の面には、超音波振動を加えるホーンが嵌入する溝１２ｃが形成されている。
【００２７】
そして、図柄が付された蓋本体１１の裏面側端部と連結軸１２とは、窪み部１１ｂ，１１ｂ内に突起部１２ｂ，１２ｂが嵌入することにより、位置ずれすることなく、超音波溶着によって接合一体化される。超音波溶着は、短時間に蓋本体１１の裏面側端部と連結軸１２とを接合一体化することができるだけでなく、食みだし、変形そして変色などがないため、蓋本体１１の裏面側端部に付された図柄は、変質することなく蓋本体１１の表面から透視することができる。
【００２８】
ただし、蓋本体１１の裏面側端部と連結軸１２とは、接着剤を使用するほか、熱板を当接したりレーザー光を照射したりすることによって加熱し、溶融させることによって接合一体化することもできる。したがって、超音波溶着しないときは、連結軸１２に溝１２ｃを形成しなくてもよい。
【００２９】
一方、ケース本体２０は、図２および図３に示すように，基端部を除いた３方に枠２１が設けられ、この枠２１内に鏡２２が嵌め込まれている。そして、基端部の両側には、前記蓋本体１１の基端部を挟む一対の突出部２３，２３が設けられている。この突出部２３，２３は、ヒンジ３０を構成するもので、ケース本体２０の両側部に設けられた枠２１から突出するような突片状に形成され、連結軸１２に形成された軸孔１２ａと連通する軸孔２３ａが形成されている。
【００３０】
この両軸孔１２ａ，２３ａにヒンジ３０を構成するピン３１が挿入され、蓋体１０とケース本体２０とが開閉自在に連結されている。このピン３１が蓋体１０の連結軸１２に形成された軸孔１２ａに挿入される先端部は、この軸孔１２ａ内で拡開するようにスリットが形成され、ピン３１がケース本体２０の突出部２３，２３に形成された軸孔２３ａに挿入される基端部が回転しないように固定されている。こうすることにより、蓋体１０は、ケース本体２０に対して任意の角度で開き、この角度を維持することができる。
【００３１】
また、蓋付きケース（手鏡）１を携行するときは、蓋体１０が鏡２２を塞ぐようにケース本体２０に重ね合わされ、鏡２２が傷付かないようにされる。このとき、蓋体１０には、全面に亘って装飾が施されているため、趣味性が発揮される。
【００３２】
なお、本考案は、前記考案の実施の形態に限定することなく、実用新案登録請求の範囲に記載された考案特定事項の範囲内において種々変更することができる。例えば、連結軸１２は、蓋本体１１の中間部に部分的に設け、突出部２３，２３は突片ではなく、連結軸１２の各端面からケース本体２０の側面まであるいは途中まで長く設けるようにすることもできる。また、蓋本体１１の裏面側基端部に突起が設けられ、連結軸１２にこの突起を嵌入する窪み部が設けられてもよい。蓋付きケース１は、手鏡以外に、化粧箱や小物入れなど各種の容器でも実施することができる。
【図面の簡単な説明】
【００３３】
【図１】本考案に係る蓋体の一実施形態を示す下から見た斜視図である。
【図２】本考案に係る蓋付きケースの一実施形態を示す上から見た斜視図である。
【図３】本考案に係る蓋付きケースの断面正面図である。
【図４】従来の蓋付きケースの上から見た斜視図である。
【符号の説明】
【００３４】
１０……蓋体
１１……蓋本体
１１ｂ…窪み部
１２……連結軸
１２ａ…軸孔
１２ｂ…突起部
１２ｃ…溝
２０……ケース本体
２２……鏡
２３……突出部
２３ａ…軸孔
３０……ヒンジ
３１……ピン
【図１】
0003117352.tif 000003
【図２】
0003117352.tif 000004
【図３】
0003117352.tif 000005
【図４】
0003117352.tif 000006